(57)【要約】【課題】商品を外観よく確実に梱包できるとともに、安価に製造可能な梱包具を提供する。【解決手段】被梱包物（ヘッドホン）Ｐが載置されるベース２０のベース面２１上に固定ベルト４０の先端をベースの裏側を通してベース面上に引き出すための引出孔２２３と、引出孔２２３から引き出された固定ベルト４０の先端を係止する係止孔２８とを設けて、ベース２０と固定ベルト４０との間で被梱包物Ｐを挟んで保持する。【選択図】  図３
2004284608.tif 000002
【特許請求の範囲】
【請求項１】
被梱包物が載置されるベースを有する梱包具において、
上記ベースの一端には、上記被梱包物を固定する帯状の固定ベルトが一体に延設されており、上記ベースには、上記固定ベルトの先端を上記ベースの裏側からベース面上に引き出すための引出孔と、上記引出孔から引き出された上記固定ベルトの先端が係止される係止孔とが設けられており、上記引出孔と上記係止孔は、上記梱包物の一部もしくは全部が載置される載置部の両側に対向するように配置されていることを特徴とする梱包具。
【請求項２】
上記被梱包物の載置部が上記ベースから台形状に隆起された保持凸部からなり、上記引出孔と上記係止孔はともに、上記保持凸部の対向する裾部の間に配置されている請求項１に記載の梱包具。
【請求項３】
上記ベースには、上記固定ベルトが複数設けられており、その各々が複数の上記載置部に載置される上記梱包物の一部もしくは全部を固定する請求項１または２に記載の梱包具。
【発明の詳細な説明】
【０００１】
【発明の属する技術分野】
本発明は、被梱包物を梱包するための梱包具に関し、さらに詳しく言えば、梱包時の商品外観がよく、しかも被梱包物を簡単かつ確実に固定できる梱包具に関する。
【０００２】
【従来の技術】
小物家電製品や家庭用品などは、陳列展示した際に消費者の購買意欲を高めるために様々工夫が凝らされている。その工夫の１つにブリスターパックを用いて商品を梱包する方法がある。
【０００３】
ブリスターパックを使って梱包する方法としては、例えば特許文献１に示すように、透明な樹脂製容器（ブリスターケース）内に商品の形状が消費者に見えるように梱包する方法が一般的である。この際、ブリスターケース内に商品のポップアップ広告を記載した化粧シートを兼ねた台紙を挟み込むことで、より視的効果を高める工夫がされている。
【０００４】
特許文献１では、台紙の上に商品（例えば、インナーイヤーヘッドホン）を直に取り付けてブリスターパック内に梱包しているが、台紙自体はブリスターパックに固定されていないため、運搬時や落下時などに商品が脱落するおそれがある。
【０００５】
そこで、この問題を解決する一例として特許文献２がある。特許文献２には、ブリスターパックの一端に帯状の舌片を一体形成し、舌片をブリスターパック側に折り畳むことで、ブリスターパックと舌片との間で商品付き台紙を確実に固定するようにしている。
【０００６】
【特許文献１】
特開２００２−２７８４号公報
【特許文献２】
実開平５−８２８５６号公報
【０００７】
【発明が解決しようとする課題】
しかしながら、上述した特許文献２に記載の舌片は、台紙などの薄い板体を固定するのであれば問題ないが、立体的なものを固定するには不向きである。すなわち、図５に示すように、舌片２をブリスターパック１側に折り畳み、その間で商品Ｐを保持した場合、ブリスターパック１と舌片２との間に空間Ｇが形成されるため、そこに緩みが生じやすく、商品Ｐを確実に固定しにくい。
【０００８】
また、商品Ｐをブリスターパック１の中央に保持しようとした場合、上述した方法では、舌片の固定端から商品までの間のブリスター面が舌片によって邪魔されるため、その部分の見栄えが悪い。
【０００９】
そこで、本発明は上述した課題を解決するためになされたものであって、その目的は、商品を外観よく、簡単かつ確実に梱包できるとともに、安価に製造可能な梱包具を提供することにある。
【００１０】
【課題を解決するための手段】
上述した目的を達成するため、本発明は、被梱包物が載置されるベースを有する梱包具において、上記ベースの一端には、上記被梱包物を固定する帯状の固定ベルトが一体に延設されており、上記ベースには、上記固定ベルトの先端を上記ベースの裏側からベース面上に引き出すための引出孔と、上記引出孔から引き出された上記固定ベルトの先端が係止される係止孔とが設けられており、上記引出孔と上記係止孔は、上記梱包物の一部もしくは全部が載置される載置部の両側に対向するように配置されていることを特徴としている。
【００１１】
これによれば、被梱包物を固定する固定ベルトが被梱包物に近接して引き出されるため、ベースと固定ベルトとの間に生じる隙間をできるだけ小さくすることができ、立体的な被梱包物であってもベースに確実に固定できる。さらには、固定ベルトをベースに対して一体的に設けているので、簡単かつ効率よく固定できる。
【００１２】
例えばヘッドホンなどの複雑な立体形状を有する被梱包物を梱包する場合、ベースのベース面から所定高さの位置に保持するための保持凸部が設けられており、そこに被梱包物を浮いたような状態で保持している。このような場合、上記引出孔は、上記保持凸部の天端に設けられているとともに、上記固定孔は上記保持凸部と上記ベースの付け根部に設けられていることが好ましい。
【００１３】
被梱包物の形状が複雑であったり、重量がかさむ場合、または、付属品など複数の被梱包物がある場合において、上記ベースには、上記固定ベルトが複数設けられており、その各々が複数の上記載置部に載置される上記梱包物の一部もしくは全部を固定することが好ましい。
【００１４】
【発明の実施の形態】
次に、本発明の実施形態について図面を参照しながら説明する。図１は、本発明の一実施形態に係る梱包具の斜視図である。この梱包具１０は、被梱包物としての商品Ｐが載置されるベース２０と、同ベース２０に被せられるブリスタードーム３０とを備えている。
【００１５】
本発明において、ブリスタードーム３０は、例えばポリエチレンテレフタレート（ＰＥＴ）などの透明な樹脂成型品からなり、ベース２０に取り付けられるカバーである。なお、その具体的な構成は任意であるため、その説明は省略する。
【００１６】
この例において、梱包される商品Ｐは、Ｃ字状のヘッドバンドＰ１の両端にドライバユニットＰ２，Ｐ２を備えるヘッドホンであり、ベース２のベース面２１に対して水平保持される。なお、ヘッドホンＰの具体的な構成については任意のため、その説明は省略する。
【００１７】
ベース２０は、例えばポリプロピレン（ＰＰ）やポリエチレンテレフタレート（ＰＥＴ）などの合成樹脂の成型品からなり、全体が立体台形状に形成されており、上端側には、ヘッドホンＰを固定するための固定ベルト４０が一体に形成されている。
【００１８】
ベース２０の上面は、ヘッドホンＰが水平に据え置かれるベース面２１とされており、図３（ａ）に示すように、基底部Ｂから所定高さ持ち上げられた位置に設けられている。
【００１９】
ベース面２１には、ヘッドホンＰをベース面２１から所定高さ浮いた状態で水平に保持するための３つの保持凸部２２〜２４と、水平保持した際に左右のドライバユニットＰ２，Ｐ２がベース面２１側に張り出す分を逃がす凹部２５，２５と、ブリスタードーム３０を被せる際のガイド役を担うガイドリブ２６，２６とが設けられている。
【００２０】
各保持凸部２２〜２４は、ベース面２１上から台形状に隆起された島状に形成されている。第１の保持凸部２２（以下、第１保持凸部とする）は、ベース面２１の上端側のほぼ中央に突設されており、第２および第３の保持凸部２３，２４（以下、第２保持凸部および第３保持凸部とする）は、第１保持凸部２２を挟んで左右対称に設けられている。この各保持凸部２２〜２４は、ヘッドバンドＰ１を支持する。
【００２１】
第１保持凸部２２は、ほぼ四角形状の角状体からなり、その天端２２１には、ヘッドバンドＰ１が収納される凹溝２２２が一体的に設けられている。この例において、凹溝２２２は、ヘッドバンドＰ１の頂部付近を保持するため、その両端が第１保持凸部２２の左右の側面に向けて開放されている。
【００２２】
この例において、第１保持凸部２２の天端２２１には、後述する固定ベルト４０の先端部４２をベース２０の裏側から天端２２１の上に引き出すための引出孔２２３が設けられている。引出孔２２３は、天端２２１の幅方向に沿って開口されたスリット孔からなり、図３（ａ）に示すように、ベース２０の裏側に向けて開放されている。
【００２３】
第２および第３保持凸部２３，２４は、ベース面２１から円柱状に突設されており、その各天端には、ヘッドバンドＰ１の側部を支持する凹溝２３１，２４１がそれぞれ設けられている。
【００２４】
この例において、第２および第３保持凸部２３，２４は、第１保持凸部２２の斜め下方向に左右対称に設けられており、各凹溝２３１，２４１は、正面からみてハ字状に凹まれされている。
【００２５】
これら各保持凸部２２〜２４の凹溝２２２，２３１，２４１に沿って、ヘッドバンドＰ１が載置される。
【００２６】
凹部２５，２５は、図１に示すようにヘッドホンＰのドライバユニットＰ２，Ｐ２の直下に一体的に凹まされた凹曲面からなり、この凹曲面に沿ってドライバユニットＰ２，Ｐ２の外周面の一部が収納される。
【００２７】
ガイドリブ２６，２６は、ベース２０の下辺の両端（図１では、左斜め下）には、左右一対に設けられている。なお、ガイドリブ２２，２２は、この梱包具１０を陳列した際に、万が一落下した時などに商品Ｐを衝撃から守るための保護部としても機能している。
【００２８】
この例において、ガイドリブ２６，２６は、下辺両端に２カ所設けられているが、四隅に設けられていてもよいし、ベース面２１の全周にわたってすり鉢状に形成してもよく、任意に設定できる。
【００２９】
ベース面２１の中央には、ヘッドホンＰの脱落を防止するとともに、例えば取扱説明書や乾電池などの付属品を収納しておく収納部２７が設けられている。収納部２７は、ベース面２１から島状に突設される角状体からなり、ヘッドホンＰによって取り囲まれるように配置されている。
【００３０】
凹溝２２２を挟んで引出孔２２３と対向する第１保持凸部２２とベース面２１との付け根部には、引出孔２２３から引き出された固定ベルト４０の先端が係止される係止孔２８が設けられている。
【００３１】
係止孔２８は、後述する固定ベルト４０の接続部４３が挿通可能な大きさのスリット孔からなり、図３（ａ）に示すようにベース２０の裏側に向けて貫通している。
【００３２】
図２（ａ）および図３（ａ）をそれぞれ参照して、固定ベルト４０は、一端が上記ベース２０の上端中央に一体に接続され、他端（先端）が基底部Ｂに沿ってほぼ直角に延設された帯状体からなる。
【００３３】
固定ベルト４０には、ベース２０の裏側を通って引出孔２２３から引き出され、第１保持凸部２２との間でヘッドホンＰのヘッドバンドＰ１を挟み込む固定部４１と、係止孔２８に挿通される係止部４２とを備えている。
【００３４】
係止部４２は、連結部４３を介して固定部４１の先端に一体的に形成されており、折り線Ｌに沿って互いに重なり合うように折り畳み可能な係止片４２１，４２１が設けられている。
【００３５】
各折り線Ｌ，Ｌは、連結部４３の幅とほぼ同じ幅の位置に形成されており、図２（ｂ）に示すように、折り線Ｌ，Ｌに沿って係止片４２１，４２１を折り畳むことで、係止部４２が係止孔２８に挿通可能な状態になる。
【００３６】
次に、この梱包具１０を用いた梱包手順の一例について説明する。なお、梱包手順の説明は、あらかじめベース２０のベース面２１上にヘッドホンＰが据え置かれた状態（図１の状態）から開始する。
【００３７】
図３（ａ）に示すように、ベース２０にヘッドホンＰが据え置かれている状態において、作業者（図示しない）は、固定ベルト４０の先端（係止部４２側）を把持し、ベース２０の裏側に向かって折り曲げる。
【００３８】
この固定ベルト４０の先端をベース２０の裏側から引出孔２２３を通して第１保持凸部２２の天端２２１上に引き出し、第１保持凸部２２の天端２２１との間でヘッドホンＰを挟む方向（図３（ｂ）では左方向）にほぼ直角に折り畳む。
【００３９】
次に、作業者は、図３（ｂ）に示すように、係止部４２の各係止片４２１，４２１を折り線Ｌに沿って折り畳むとともに、折り畳んだ状態のまま係止部４２を係止孔２８に差し込む。
【００４０】
係止孔２８から差し込まれた係止部４２は、図３（ｃ）に示すように、自身の復元弾性力によって、各径紙片４２１，４２１がベース２０の裏側で自動的に元の状態に広がることにより、固定ベルト４０の先端（係止部４２）がベース２０固定される。最後に、図１に示すブリスタードーム３０をベース２０に被せることで一連の梱包作業が終了する。
【００４１】
これによれば、ヘッドホンＰは、図４に示すように、各保持凸部２２〜２４によって水平な状態で保持されつつ、第１保持凸部２２で固定ベルト４０によって脱落が防止されることにより、見栄えよくすっきりと梱包することができる。
【００４２】
この実施形態において、引出孔２２３は第１保持凸部２２の天端２２１に設けられており、係止孔２８は凹溝２２２を挟んで引出孔２２３と対向するベース面２１上に開口されているが、引出孔２２３と係止孔２８とは、載置部（この例では凹溝２２２）の両側に対向するように配置されていればよい。すなわち、引出孔２２３をベース２０側に、係止孔２８を天端側に設けてもよいし、引出孔２２３と係止孔２８の両方を天端２２１（ベース面２１）に設けてもよい。このような各種変形例も本発明に含まれる。
【００４３】
また、この実施形態において、保持凸部はヘッドホンＰの一部（ヘッドバンドＰ１）を保持するようにしているが、例えば乾電池などの被梱包物の全体を保持凸部で保持するような場合であっても、本発明の梱包構造を適用することも可能である。
【００４４】
さらには、この実施形態において、ベース２０はヘッドホンＰを被梱包物として用いるためにベース面２１上に保持凸部２２〜２４を設けているが、本発明の梱包構造は、保持凸部２２〜２４が無くても実施可能である。すなわち、ベース面２１上に引出孔２２３と係止孔２８とを被梱包物を挟む位置に設け、そこに固定ベルト４０を挿通、固定することで被梱包物をベース面２１上に直に固定することもできる。
【００４５】
本発明の固定ベルト、引出孔および係止孔は、この実施形態においてベースに対して１カ所ずつ設けられているが、梱包する製品の形状や重量などを考慮した場合、これらを１つのベースに複数箇所に設けて被梱包物を固定してもよい。また、付属品などの複数の被梱包物をそれぞれ固定ベルトで固定してもよく、このような態様も本発明に含まれる。
【００４６】
【発明の効果】
以上説明したように、本発明によれば、被梱包物が据え置かれるベースに固定ベルトの先端をベースの裏側を通してベース面上に引き出すための引出孔と、引出孔から引き出された固定ベルトの先端を係止する係止孔とを設けて、ベースと固定ベルトとの間で被梱包物を挟んで保持するようにしたことにより、シンプルな構成でありながら、商品を外観よく確実に梱包できる。
【図面の簡単な説明】
【図１】本発明の一実施形態に係る梱包具の分解斜視図。
【図２】固定ベルトの斜視図および係止部を折り畳んだ状態の模式図。
【図３】固定ベルトの構造とその折り畳み手順を説明する説明図。
【図４】被梱包物（ヘッドホン）を固定した状態の斜視図。
【図５】従来の梱包具の構造を模式的に示した斜視図。
【符号の説明】
１０  梱包具
２０  ベース
２１  ベース面
２２  第１保持凸部
２２１  天端
２２２  凹溝
２２３  引出孔
２３  第２保持凸部
２４  第３保持凸部
２５，２５  凹部
２６，２６  ガイドリブ
２７  収納部
２８  係止孔
３０  ブリスタードーム
４０  固定バンド
４１  固定部
４２  係止部
４３  連結部
Ｐ  被梱包物（ヘッドホン）
【図１】
2004284608.tif 000003
【図２】
2004284608.tif 000004
【図３】
2004284608.tif 000005
【図４】
2004284608.tif 000006
【図５】
2004284608.tif 000007